【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
皮脂生成を抑制または調整し、脂性肌を調整または治療し、アクネ症の進展の予防または抑制、ならびにアクネ症が存在する場合のアクネ症の治療を行うための組成物であり、酵素加水分解により生成された加水分解した植物タンパク質を含む組成物。
【請求項２】
加水分解した穀物タンパク質および適当なキャリヤーを含み、皮膚の油分の多い性質を調整または少なくとも抑制し、当該皮膚の状態により生じるアクネ症のような症状を抑制または調整する場合に使用するための組成物。
【請求項３】
スギ抽出物を皮脂調整剤として含有し皮膚へ与えられる組成物であり、皮膚に与えられる時に、（ａ）皮脂生成の抑制または調整、（ｂ）脂性肌の抑制または治療、（ｃ）アクネ症の進展の予防または抑制、（ｄ）アクネ症が存在する場合のアクネ症の治療の少なくとも一つを行うことができる組成物。
【手続補正２】
【補正対象書類名】明細書
【補正対象項目名】０００５
【補正方法】変更
【補正の内容】
【０００５】
第１の態様において、本発明は酵素加水分解により生成される加水分解した植物タンパク質の皮脂調整剤としての使用方法を提供する。


【手続補正３】
【補正対象書類名】明細書
【補正対象項目名】０００６
【補正方法】変更
【補正の内容】
【０００６】
さらに、上記の本発明の態様は、皮脂生成を抑制または調整し、脂性肌を調整または治療し、アクネ症の進展の予防または抑制、ならびにアクネ症が存在する場合のアクネ症の治療を行うための組成物であり、酵素加水分解により生成された加水分解した植物タンパク質を含む組成物を提供する。


【手続補正４】
【補正対象書類名】明細書
【補正対象項目名】０００７
【補正方法】変更
【補正の内容】
【０００７】
さらに、上記の態様は皮膚の油分の多い照りのある外観およびこれにより生じるアクネ症のような異常症状を予防、調整または抑制する酵素加水分解により生成されるダイズ・タンパク質のような加水分解した植物タンパク質を皮膚に局所的に供給することを備える方法を含む。


【手続補正５】
【補正対象書類名】明細書
【補正対象項目名】０００８
【補正方法】変更
【補正の内容】
【０００８】
なお、本明細書における説明および特許請求の範囲を通して、明らかに文脈から他の意味に解されない限り、用語の「含むまたは備える（comprise or comprising）」等は、排他的な意味にではなく、包含的な意味、すなわち、「含むが（これに）限らない（including, but not limited to）」という意味に解釈するべきである。


【手続補正６】
【補正対象書類名】明細書
【補正対象項目名】０００９
【補正方法】変更
【補正の内容】
【０００９】
好ましくは、上記の植物タンパク質はダイズ・タンパク質のような穀物タンパク質である。この酵素加水分解により生成される加水分解したダイズ・タンパク質は商標をSOY-TEIN NLとしてMaybrook社から入手できる。


【手続補正７】
【補正対象書類名】明細書
【補正対象項目名】００１０
【補正方法】変更
【補正の内容】
【００１０】
上記の加水分解したダイズ・タンパク質は細菌による発酵等の別の方法により生成できる。しかしながら、このような細菌による発酵により生成される加水分解したタンパク質は酵素加水分解により生成されるものとは明らかに異なっており、上記の本発明の態様に含まれない。


【手続補正８】
【補正対象書類名】明細書
【補正対象項目名】００２１
【補正方法】変更
【補正の内容】
【００２１】
さらに、上記の本発明の態様には、油分の多い皮膚およびこれにより生じるアクネ症を含む症状を抑制、治療または予防するため、およびアクネ症を抑制、治療または予防するために皮脂調整剤および角質溶解剤を連続的または同時に皮膚の障害を受けた領域または障害を受けやすい領域に供給する工程を含む方法がある。


【手続補正９】
【補正対象書類名】明細書
【補正対象項目名】００２５
【補正方法】変更
【補正の内容】
【００２５】
さらに、この第４の態様において、適当なキャリヤーと共に皮脂調整剤および付着性向上剤を備える上記の使用方法のための局所的組成物を提供する。この第４の態様は皮脂調整剤およびフィタントリオール、ポリクォーターニウム−６，−７，−２２および−３９のような付着性向上剤の局所的供給を有する油分の多い皮膚および／またはこれにより生じるアクネ症を含む症状を予防または少なくとも改善する方法も提供する。好ましくは、上記の付着性向上剤はフィタントリオールである。


【手続補正１０】
【補正対象書類名】明細書
【補正対象項目名】００２６
【補正方法】変更
【補正の内容】
【００２６】
本発明の第５の態様によれば、油分の多い照りのある外観を有する皮膚またはこのような症状になりやすい皮膚に対してリパーゼ抑制物質を供給する工程を備える皮膚における油分の多い照りのある外観を調整する方法が提供される。さらに、この第５の態様は上記の方法において使用するためのリパーゼ抑制剤および適当なキャリヤーを含む局所的な組成物を提供する。


【手続補正１１】
【補正対象書類名】明細書
【補正対象項目名】００２７
【補正方法】変更
【補正の内容】
【００２７】
上記リパーゼの抑制の仕組みは、加水分解したダイズ・タンパク質および加水分解した小麦タンパク質およびスギおよびポプラ等の植物抽出物を含む加水分解した植物タンパク質が少なくとも部分的に油分の調整を行うからであると考えられる。リパーゼ活性を抑制するための薬剤の供給は油分の多い皮膚を調整するための新規な手法と考えられる。


【手続補正１２】
【補正対象書類名】明細書
【補正対象項目名】００３８
【補正方法】変更
【補正の内容】
【００３８】
さらに、上記の組成物は増粘剤、エマルジョン安定化剤、乳化剤、軟化剤、吸蔵剤、スキン・コンディショナー、湿潤化剤、保湿剤、保存剤、酸化防止剤、ｐＨ調整剤、界面活性剤、キレート化剤、粘着性賦与剤および芳香剤等の通常においてスキン・トリートメント組成物中に存在している別の成分を含有し得る。望ましくは、上記の組成物は水性基材を有する。上記成分の内の一部は水との混和性を有していないので、組成物を当業界において周知である適当な乳化装置によりエマルジョンの形態に形成するか、水との混和性を有する有機溶媒を加えて水に対して混和性を有さない各成分を溶解する必要がある。


【手続補正１３】
【補正対象書類名】明細書
【補正対象項目名】００５５
【補正方法】変更
【補正の内容】
【００５５】
加水分解した小麦タンパク質は上述したようにCroda社から入手できる。この材料は粘性を有する琥珀色の溶液であり、特徴的な香りがある。この材料は酵素加水分解により得られる。この製品は水中における加水分解した小麦を含む混合物である。


【手続補正１４】
【補正対象書類名】明細書
【補正対象項目名】００８２
【補正方法】変更
【補正の内容】
【００８２】
基準のセバメーター読取値を４ヶ所の部位、すなわち、左前頭部、左側の頬、右前頭部、および右側の頬について上記のコンディショニング期間の終了時に測定した。試薬を入れた試験管（コード番号が付され、無作為的に各部位に割り当てられる）を各志願者に分配した。各志願者は２種類の試験ゲルを与えられ、その内の一つは顔面の左側に、他の一つは顔面の右側に対応していた。さらに、各志願者はその後の６週間にわたり与えられた上記の洗顔剤で顔面を洗浄した後に１日に２回の頻度で各試験ゲルを供給するように指示された。


【手続補正１５】
【補正対象書類名】明細書
【補正対象項目名】００９９
【補正方法】変更
【補正の内容】
【００９９】
本発明の実施態様は以下の通りである。
（１）酵素加水分解により生成された加水分解した植物タンパク質を皮脂調整剤として使用する方法。
（２）酵素加水分解により生成された加水分解した植物タンパク質の皮膚に対する局所的な供給を含む皮膚の油分の多い照りのある外観およびこれにより生じるアクネ症のような異常症状を予防、調整または抑制する方法。
（３）前記植物タンパク質がダイズ・タンパク質のような穀物タンパク質である請求項１または実施態様（１）または実施態様（２）のいずれか１項に記載の組成物または使用方法または方法。
（４）さらに、皮膚の外観を改善することを補助し、アクネ症のような別の状態の進展を抑制することを補助するために構成されている別の活性剤を含む請求項１に記載の組成物。
（５）前記別の活性剤が角質溶解剤および抗炎症剤の群から選択される実施態様（４）に記載の組成物。


【手続補正１６】
【補正対象書類名】明細書
【補正対象項目名】０１０３
【補正方法】変更
【補正の内容】
【０１０３】
（２１）前記皮脂調整剤が加水分解した穀物タンパク質を含む加水分解した植物タンパク質のような植物抽出物であり、特に、加水分解した小麦タンパク質またはダイズ・タンパク質であり、あるいは、例えば、スギ、ポプラまたはオジギソウ（mimosa）等の樹木からの抽出物、好ましくはその葉または蕾のような花の種々の段階からの抽出物である実施態様（１８）、実施態様（１９）または実施態様（２０）のいずれか１項に記載の使用方法または組成物または方法。
（２２）前記角質溶解剤が過酸化ベンゾイル、レゾルシノール、コロイド状硫黄、サリチル酸、二硫化セレンおよび硫黄、好ましくはサリチル酸である実施態様（２１）に記載の使用方法。
（２３）リパーゼ抑制物質を油分の多い照りのある外観を有する皮膚またはこのような状態になりやすい皮膚に対して供給することを含む皮膚における油分の多い照りのある外観を調整する方法。
（２４）リパーゼ抑制剤および適当なキャリヤーを含む実施態様（２３）に記載の方法において使用するための局所的組成物。
（２５）さらに、角質溶解剤を供給することを含む実施態様（２３）に記載の方法。
（２６）皮膚の油分の多い照りのある外観およびこれにより生じる異常症状を予防、調整または抑制する方法であり、スギ抽出物を皮脂調整剤として含有する組成物を局所的に与えることを有する方法。
（２７）皮膚の外観を改善することを補助し、別の状態の進展を抑制することを補助する活性剤を含む請求項３に記載の組成物。
（２８）少なくとも一つの角質溶解剤を含有する実施態様（２７）に記載の組成物。
（２９）少なくとも一つの抗炎症剤を含有する実施態様（２８）に記載の組成物。
（３０）少なくとも一つの角質溶解剤および少なくとも一つの抗炎症剤を含有する実施態様（２７）に記載の組成物。
（３１）前記角質溶解剤が、サリチル酸、過酸化ベンゾイル、レゾルシノール、コロイド状硫黄、二硫化セレン、硫黄またはこれらの混合物からなる群から選択される実施態様（２８）に記載の組成物。
（３２）前記抗炎症剤が、アルファ−ビスアボロール、グリシルリジン酸二カリウム、アラントイン、マトリカリア（カモミラ・レクチタ（chamomilla recutita））抽出物、トコフェリル・アセテート、緑茶（カメリア・シネシス（camelliasinesis））抽出物またはウコン（クルクマ・ロンガ（curcuma longa））抽出物からなる群から選択される実施態様（２９）に記載の組成物。
（３３）前記角質溶解剤が、サリチル酸、過酸化ベンゾイル、レゾルシノール、コロイド状硫黄、二硫化セレン、硫黄またはこれらの混合物からなる群から選択され、前記抗炎症剤が、アルファ−ビスアボロール、グリシルリジン酸二カリウム、アラントイン、マトリカリア（カモミラ・レクチタ（chamomilla recutita））抽出物、トコフェリル・アセテート、緑茶（カメリア・シネシス（camelliasinesis））抽出物、ウコン（クルクマ・ロンガ（curcuma longa））抽出物またはこれらの混合物からなる群から選択される実施態様（３０）に記載の組成物。
（３４）前記角質溶解剤が、サリチル酸である実施態様（３１）に記載の組成物。
（３５）少なくとも一つの抗炎症剤を含有する実施態様（３４）に記載の組成物。
（３６）さらに別の皮脂調整剤を含有する実施態様（３５）に記載の組成物。
（３７）皮膚の油分の多い性質およびこれにより生じる影響を調整または抑制する方法であり、スギ抽出物を皮脂調整剤として含有する組成物を局所的に与えることを有する方法。
（３８）アクネ症を治療またはアクネ症を少なくとも抑制する方法であり、過剰な油分の状態に進展しやすい皮膚に、スギ抽出物を含有する組成物を局所的に与えることを有する方法。
（３９）前記組成物が、少なくとも一つの角質溶解剤を含有する実施態様（３７）に記載の方法。
（４０）前記組成物が、少なくとも一つの角質溶解剤および少なくとも一つの抗炎症剤を含有する実施態様（３７）に記載の方法。
（４１）前記組成物が、少なくとも一つの角質溶解剤、少なくとも一つの抗炎症剤および少なくとも一つの別の皮脂調整剤を含有する実施態様（３７）に記載の方法。
（４２）前記組成物が、少なくとも一つの角質溶解剤を含有する実施態様（３８）に記載の方法。
（４３）前記組成物が、少なくとも一つの角質溶解剤および少なくとも一つの抗炎症剤を含有する実施態様（３８）に記載の方法。
（４４）前記組成物が、少なくとも一つの角質溶解剤、少なくとも一つの抗炎症剤および少なくとも一つの別の皮脂調整剤を含有する実施態様（３８）に記載の方法。